(57)【要約】【課題】色彩及び／又は模様を変更可能なキャビネットの蹴込構造を提供すること。【解決手段】内部に収納スペースを有するキャビネット本体１７と、このキャビネット本体１７の正面下端側に取り付けられる蹴込部材１８とを備えてキャビネット１５が構成されている。蹴込部材１８は、相互に異なる色彩及び／又は模様が施された第１及び第２の面２３，２４と、これら第１及び第２の面２３，２４の左右両端間にそれぞれ位置する第１及び第２の側端面２６，２７とを備えて構成されている。また、蹴込部材１８は、左右対称形状となっており、第１及び第２の面２３，２４の何れか一方がキャビネット１５の正面側で表出する選択的な取り付けが可能に設けられている。【選択図】　　　　　図４
2004041308.tif 000002
【特許請求の範囲】
【請求項１】
キャビネット本体と、当該キャビネット本体の正面側に取り付けられる蹴込部材とを備えたキャビネットの蹴込構造において、
前記蹴込部材は、相互に異なる色彩及び／又は模様が施された第１及び第２の面を備え、当該第１又は第２の面がキャビネットの正面側に表出するように選択的に取り付け可能としたことを特徴とするキャビネットの蹴込構造。
【請求項２】
前記蹴込部材は、左右両端側に位置する第１及び第２の端部を含み、当該第１の端部には、前記第１の面に共通する色彩及び／又は模様が施される一方、前記第２の端部には、前記第２の面に共通する色彩及び／又は模様が施されていることを特徴とする請求項１記載のキャビネットの蹴込構造。
【請求項３】
前記蹴込部材は、キャビネット本体の正面側下端部に位置する蹴込板を介して取り付けられることを特徴とする請求項１又は２記載のキャビネットの蹴込構造。
【請求項４】
前記蹴込板の下部正面側に、上部を解放する保持部材が設けられ、前記蹴込部材は、当該蹴込部材の下端部が前記保持部材に受容された状態で前記蹴込板をカバーすることを特徴とする請求項３記載のキャビネットの蹴込構造。
【請求項５】
前記保持部材は、前記蹴込部材に共通する色彩及び／又は模様が施されていることを特徴とする請求項４記載のキャビネットの蹴込構造。
【発明の詳細な説明】
【０００１】
【発明の属する技術分野】
本発明はキャビネットの蹴込構造に係り、更に詳しくは、キャビネットの正面側に取り付けられた蹴込部材の色彩及び／又は模様を簡単に変更することのできるキャビネットの蹴込構造に関する。
【０００２】
【従来の技術】
公知のキッチンを構成するキャビネットの下部正面側には、左右方向に延びる細長い板状をなす蹴込板が取り付けられており、この蹴込板は、その上方に設けられた扉の色彩や模様に拘わらず、表裏両面共に黒系の一色で塗装されていることが通常となっている。
【０００３】
【発明が解決しようとする課題】
しかしながら、キャビネットの扉は、種々の色彩や模様からユーザーが好みに合わせて選択できるのに対し、蹴込板は、前述したように黒系の一色であり、前記扉とコーディネートすることができず、蹴込板についても、複数の色彩や模様が施されたものの出現が望まれている。この場合、蹴込板の表面に、テープ等を貼り付けて色変更を行うことも行われているが、経時的な劣化等を生じたときには、テープの剥がれをもたらすという不都合を招来する。
【０００４】
【発明の目的】
本発明は、このような不都合に着目して案出されたものであり、その目的は、色彩や模様の変更を容易に行うことのできるキャビネットの蹴込構造を提供することにある。
【０００５】
【課題を解決するための手段】
前記目的を達成するため、本発明は、内部に収納スペースを有するキャビネット本体と、当該キャビネット本体の正面側に取り付けられる蹴込部材とを備えたキャビネットの蹴込構造において、
前記蹴込部材は、相互に異なる色彩及び／又は模様が施された第１及び第２の面を備え、当該第１又は第２の面がキャビネットの正面側に表出するように選択的に取り付け可能とする、という構成を採っている。このような構成によれば、蹴込部材の取付向きを変えることで、表出する色彩等を簡単に変更することができる。
【０００６】
【発明の実施の形態】本発明において、前記蹴込部材は、左右両端側に位置する第１及び第２の端部を含み、当該第１の端部には、前記第１の面に共通する色彩及び／又は模様が施される一方、前記第２の端部には、前記第２の面に共通する色彩及び／又は模様が施される、という構成を採ることが好ましい。このように構成することで、キャビネットの一端側に壁面等が位置する状態で当該キャビネットが設置されている場合に、外側から見える蹴込部材の他端側の色彩や模様を、正面側に表出する第１若しくは第２の面に合わせることが可能となる。
【０００７】
また、前記蹴込部材は、キャビネット本体の正面側下端部に位置する蹴込板を介して取り付けられる、という構成を採ることができる。勿論、蹴込板を省略して蹴込部材を取り付ける構成としてもよいが、蹴込部材を蹴込板を介して取り付ける構成とすれば、既存のキャビネットに適用することが可能となる。
【０００８】
また、本発明は、前記蹴込板の下部正面側に、上部を解放する保持部材が設けられ、前記蹴込部材は、当該蹴込部材の下端部が前記保持部材に受容された状態で前記蹴込板をカバーする、という構成も採用することができる。これによれば、蹴込部材の取り付けを容易に行うことができるとともに、表出面の変更を行う際の作業も負担なく行うことが可能となる。また、保持部材には、前記蹴込部材に共通する色彩及び／又は模様を施してもよい。
【０００９】
なお、本明細書において、「正面」、「前」、「後」、「左」、「右」等の位置若しくは方向を示す用語は、特に明示しない限り、図１中矢印Ａ方向からキャビネットを見た状態を基準として用いられる。また、本発明における「キャビネット」とは、内部に一定の収納空間を備えたもの一般を含み、キッチンのキャビネットに適用できる他、洗面化粧台の下部を構成するキャビネットや食器収納用のキャビネット等に適用することも可能である。
【００１０】
【実施例】
以下、本発明の実施例について図面を参照しながら説明する。
【００１１】
［第１実施例］
図１には、第１実施例に係るキャビネットの蹴込構造が適用されたキッチンの概略斜視図が示されている。この図において、キッチン１０は、シンク１１やコンロ１２等が取り付けられたカウンター１４と、このカウンター１４の下方に位置して当該カウンター１４を支持する略箱型のキャビネット１５とを備えて構成されている。
【００１２】
前記キャビネット１５は、内部に収納スペースを有するキャビネット本体１７と、このキャビネット本体１７の下部正面側に位置する蹴込板１６の前面に取り付けられた蹴込部材１８とを備えて構成されている。
【００１３】
前記キャビネット本体１７は、内部の収納スペースにアクセス可能に正面側に設けられた複数の扉２０と、上下複数段の引き出し２１とを備えた公知の構造が採用されており、ここでは、詳細な説明を省略する。
【００１４】
前記蹴込部材１８は左右方向に延びる細長い板状体により構成されている。この蹴込部材１８は、扉２０及び引き出し２１の下方位置に取り付けられており、当該取付状態で正面側及び左端側が表出するように設置されている。この蹴込部材１８は、図２及び図３に示されるように、相互に異なる色彩及び／又は模様（以下、色彩等と称する）が施された第１の面２３と、当該第１の面２３の反対側となる第２の面２４と、これら第１及び第２の面２３，２４の左右両端間にそれぞれ位置する第１及び第２の端部としての第１及び第２の側端面２６，２７と、第１及び第２の面２３，２４の上下両端間にそれぞれ位置する上下端面２９，２９とを備えて構成されている。また、蹴込部材１８の左右両端側には、前記第１及び第２の面２３，２４間を貫通する穴３１，３２が形成されており、これらねじ穴３１，３２は、左右対称となるようにそれぞれ上下二箇所づつ設けられている。従って、蹴込部材１８は、当該蹴込部材１８を左右方向に二等分する仮想縦中心線（図示省略）に対して左右対称形状となっている。
【００１５】
前記第１及び第２の面２３，２４の色彩等は、特に限定されるものではないが、第１の面２３に前記扉２０に対応した色彩が施されている一方、第２の面２４が黒色又は蹴込板１６と異なる色となっている。
【００１６】
前記第１の側端面２６は、第１の面２３と共通する色彩等が施される一方、第２の側端面２７は、第２の面２４と共通する色彩等が施されている。本実施例では、第１の側端面２６に第１の面２３と同一の色彩等が施される一方、第２の側端面２７が黒色となっている。なお、前記上下端面２９，２９は、図１に示されるように、蹴込部材１８の取付状態で外側から見えないため、それらの色彩等は何でもよく、場合によっては、蹴込部材１８の材料自体の色のままでもよい。
【００１７】
以上の構成の蹴込部材１８は、図４に示されるように、穴３１，３２に挿通された皿ねじ３４で蹴込板１６に固定される。この際、前述したように、蹴込部材１８が左右対称形状となっているため、当該蹴込部材１８を反転することで、第１及び第２の面２３，２４の何れか一方がキャビネット１５の正面側に表出する選択的な取り付けが可能となる。ここで、正面側に表出する第１又は第２の面２３，２４に共通する色彩等が施された側端面２６，２７（図３参照）の何れか一方を左端側に配置することで、蹴込部材１８の表出部位全てを統一された色彩等にすることができる。例えば、工場出荷時においては、前記第２の側端面２７が左側に位置し、且つ、第２の面２４が表出する状態で蹴込部材１８が蹴込板１６に取り付けられているとする。この状態から、施工現場で蹴込部材１８を一旦取り外し、当該蹴込部材１８を反転して１８０度回転することにより、正面視において図３（Ｃ）から同図（Ａ）の状態となり、この状態で蹴込部材１８を蹴込板１６にねじ止めすると、図１に示されるように、扉２０に対応する色彩が施された第１の面２３及び第１の側端面２６が表出することとなる。
【００１８】
従って、このような実施例によれば、一枚の蹴込部材１８で二種類の色彩等を選択的に表出させることができ、蹴込部材１８の部材品番の増加や蹴込部材１８のメーカー在庫等を極力減らしつつ、蹴込部材１８を扉２０にコーディネートさせることができるという効果を得る。
【００１９】
また、蹴込部材１８の色彩等の変更を施工現場でも簡単に行えるという効果をも得る。
【００２０】
なお、本実施例では、蹴込板１６に蹴込部材１８を取り付ける構成を示したが、蹴込板１６を省略して蹴込部材１８を取り付けるようにしてもよい。この場合、蹴込部材１８は、キャビネットの側板前端面を固定面として利用することで取り付け可能となる。
【００２１】
［第２実施例］
次に、本発明の第２実施例について説明する。なお、以下の説明において、前記第１実施例と同一若しくは同等の構成部分については同一符号を用いるものとし、説明を省略若しくは簡略にする。
【００２２】
第２実施例は、図５に示されるように、蹴込板１６の正面側に保持部材４０を取り付けておき、この保持部材４０に蹴込板１６の下端部領域を受容した状態で保持可能に設けて蹴込板１６を正面側からカバーする構造を採用したところに特徴を有する。なお、蹴込板１６は、特に限定されるものではないが、表面１６Ａが黒色に塗装されている。
【００２３】
前記保持部材４０は、前記表面１６Ａにおける下端側で、左右方向（図５中紙面直交方向）に散点的若しくは連続的に設けられており、皿ねじ４２を用いて蹴込板１６に取り付けられている。この保持部材４０は、表面１６Ａに沿う取付部４４と、この取付部４４の下端側から図５中右側に向かって略水平に延びる下平部４５と、この下平部４５の先端側（右端側）から上方に向かって略垂直に延びる前端部４６とにより構成されており、側端面形状が略Ｌ字に近似した形状となっている。従って、取付部４４と前端部４６との間に形成された受容空間に蹴込部材１８を受容させることで、当該蹴込部材１８を表面１６Ａに沿うように保持することができる。なお、保持部材４０に施される色彩等は、特に限定されるものではないが、蹴込部材１８の色彩等に共通させるとよく、また、キャビネット１５の正面側で表出することになる前端部４６については、あまり目立たないように、蹴込部材１８を保持できる必要最小限の上下幅にするとよい。
【００２４】
前記蹴込部材１８は、前記蹴込板１６の表面１６Ａの上下幅よりもやや短寸となる上下幅を備えており、保持部材４０に保持されたときに、蹴込板１６の表面１６Ａの大部分及び皿ねじ４２の頭部を隠蔽するようになっている。また、蹴込部材１８の厚みは、蹴込板１６よりも薄く設定されており、取付部４４と前端部４６との間の受容空間に略ぴったりと収まるようになっている。また、蹴込部材１８は、扉２０の色彩等に共通した色彩等が表面側に施されており、扉２０の色彩等のバリエーションに合わせて複数種用意されている。
【００２５】
前記蹴込部材１８の取り付けに際しては、蹴込板１６の表面１６Ａの下端側に、皿ねじ３２で保持部材４０を取り付けた後、蹴込部材１８の上端側を手前側に傾斜させながら同下端側を前記受容空間に受容させる。そして、蹴込部材１８の上部を皿ねじ４８で蹴込板１６に固定する。
【００２６】
従って、このような第２実施例によっても、前述した第１実施例と同様の効果が得られる他、蹴込部材１８の取付作業を一層容易に行うことができる。
【００２７】
ところで、図５に示されるように、蹴込部材１８は、キャビネット本体１７の前端部よりも後退した位置に取り付けられるのが一般的であり、仮に、蹴込部材１８を上下両側でねじ止めした場合、上側のねじは見えにくいが、下側のねじは比較的見え易い。この点、前記第２実施例によれば、保持部材４０を取り付けるための皿ねじ４２は、蹴込部材１８で隠蔽されるため、通常の状態では、皿ねじ４２が外部から見えなくなり表出させることがない。
【００２８】
なお、第２の実施例における蹴込部材１８も、第１実施例における蹴込部材１８と同様に表裏両面に異なる色彩等を施し、何れか一方の面を選択的にキャビネットの正面側に表出できる構成としてもよい。
【００２９】
【発明の効果】
以上説明したように、本発明によれば、相互に異なる色彩及び／又は模様が施された第１及び第２の面を備え、当該第１又は第２の面がキャビネットの正面側に表出するように選択的に取り付け可能とする蹴込部材を採用したから、一つの蹴込部材で二種類の色彩及び／又は模様を表出させることができ、当該蹴込部材の色彩及び／又は模様を簡単に変更することができる。
【００３０】
また、前記蹴込部材は、左右両端側に位置する第１及び第２の端部を含み、当該第１の端部に、前記第１の面に共通する色彩及び／又は模様を施し、且つ、前記第２の端部に、前記第２の面に共通する色彩及び／又は模様を施したから、蹴込部材の側端部の色彩や模様を正面側に表出する第１若しくは第２の面に合わせることができる。
【００３１】
更に、前記蹴込部材を蹴込板に取り付ける構成とした場合には、既存のキャビネットに適用することが可能となる。
【００３２】
また、蹴込部材の下端部が保持部材に受容された状態で蹴込板をカバーするように取り付けられる構成によれば、蹴込部材の取り付けを容易に行うことができるとともに、表出面の変更を行う際の作業も負担なく行うことが可能となる。更に、保持部材が蹴込部材に共通する色彩及び／又は模様が付されている構成とすれば、当該保持部材の存在を目立たないものとすることができる。
【図面の簡単な説明】
【図１】第１実施例に係るキャビネットの蹴込構造が適用されたキッチンの概略斜視図。
【図２】（Ａ）は、第１実施例に適用される蹴込部材の拡大正面図であり、（Ｂ）は、（Ａ）のＸ−Ｘ線に沿う断面図である。
【図３】（Ａ）は、前記蹴込部材を図２（Ｂ）中Ａ方向から見た概略斜視図であり、（Ｂ）は、前記蹴込部材を同図中Ｂ方向から見た概略斜視図であり、（Ｃ）は、前記蹴込部材を同図中Ｃ方向から見た概略斜視図であり、（Ｄ）は、前記蹴込部材を同図中Ｄ方向から見た概略斜視図である。
【図４】図１のＹ−Ｙ線に沿う拡大断面図。
【図５】（Ａ）は第２の実施例に係るキャビネットの蹴込構造が適用されたキッチンの一部の概略縦断面図、（Ｂ）は（Ａ）のＥ部拡大断面図。
【符号の説明】
１５・・・キャビネット、１７・・・キャビネット本体、１６・・・蹴込板、１８・・・蹴込部材、２３・・・第１の面、２４・・・第２の面、２６・・・第１の側端面（第１の端部）、２７・・・第２の側端面（第２の端部）、４０・・・保持部材
【図１】
2004041308.tif 000003
【図２】
2004041308.tif 000004
【図３】
2004041308.tif 000005
【図４】
2004041308.tif 000006
【図５】
2004041308.tif 000007